(57)【要約】【課題】ＧＭＰＬＳでパス設定を行った後にパスの疎通試験を実施する必要がある。【解決手段】パスが設定されるネットワークにおける伝送装置は、前記パスの入口ノードとして設定されたとき、前記パスの設定情報を書き込んだ前記ネットワークのフレームを出口ノードに送信し、前記パスの出口ノードとして設定されたとき、前記フレームから読み出した前記設定情報に基づき、前記パスが正しく設定されていることを示す応答情報を書き込んだ前記フレームをループバックする処理部を有する。【選択図】図３
2009290706.tif 000002
【特許請求の範囲】
【請求項１】
パスが設定されるネットワークにおける伝送装置であって、
前記パスの入口ノードとして設定されたとき、前記パスの設定情報を書き込んだ前記ネットワークのフレームを出口ノードに送信し、
前記パスの出口ノードとして設定されたとき、前記フレームから読み出した前記設定情報に基づき、前記パスが正しく設定されていることを示す応答情報を書き込んだ前記フレームをループバックする処理部を有する伝送装置。
【請求項２】
前記パスの設定はＧＭＰＬＳにより行われ、
前記ネットワークはＳＯＮＥＴ、ＳＤＨ、またはＷＤＭであり、
前記処理部は、前記設定情報と前記応答情報とを前記フレームのパスオーバーヘッドに書き込む、請求項１に記載の伝送装置。
【請求項３】
前記処理部は、前記パスの入口ノードとして設定されたとき、前記フレームを出口ノードに送信してから所定時間以内に前記出口ノードからのループバックがないとき、前記パスが正しく設定されていないと判断する、請求項１または２に記載の伝送装置。
【請求項４】
前記処理部は、前記パスが正しく設定されていないと判断した後、前記パスを削除する、請求項３に記載の伝送装置。
【請求項５】
パスが設定されるネットワークにおいて、
入口ノードが、前記パスの設定情報を書き込んだ前記ネットワークのフレームを出口ノードに送信する段階と、
前記出口ノードが、前記フレームの受信に応じて、前記パスが正しく設定されていることを示す応答情報を前記フレームに書き込み、ループバックする段階とを有するパス試験方法。
【請求項６】
パスが設定されるネットワークにおける伝送装置において、コンピュータを、
前記パスの入口ノードとして設定されたとき、前記パスの設定情報を書き込んだ前記ネットワークのフレームを出口ノードに送信し、
前記パスの出口ノードとして設定されたとき、前記フレームから読み出した前記設定情報に基づき、前記パスが正しく設定されていることを示す応答情報を書き込んだ前記フレームをループバックする処理部として機能させるコンピュータプログラム。
【発明の詳細な説明】
【技術分野】
【０００１】
本発明は伝送装置に関し、特に、パスが設定されるネットワークにおける伝送装置、パスの試験方法、伝送装置で実行されるコンピュータプログラムに関する。
【背景技術】
【０００２】
ＧＭＰＬＳは、既に構築されているＳＯＮＥＴやＳＤＨ、ＷＤＭなどの物理的なネットワーク（Data Plane：実際にデータが流れる層）に対して新たに論理的なネットワークすなわち制御プレーン（Control Plane：データプレーン（Data Plane）を制御する層）を追加することで、従来別々に管理していたＳＯＮＥＴやＳＤＨ、ＷＤＭなどの信号とＩＰネットワークの信号を統一的に管理する技術である。ＧＭＰＬＳによりパス設定が容易に実施できる。
【０００３】
ＧＭＰＬＳでは、LMP、OSPF-TE、RSVP-TEなど複数のプロトコル用い、隣接するノード間で情報をやり取りしており、自分がどのノードと接続されているのか、どれだけのデータを送受信可能な空き帯域を持っているのか等の情報を全ノードで共有している。この情報を用いて各ノードが自律的に動作し、通信経路（パス）の構築を行うことが可能となっている。
【０００４】
図１は、ＧＭＰＬＳでパスが設定されたネットワークの一例を示す図である。任意の２点間で信号を疎通させるには、信号の入口となる入口ノード（ノード１１）に対して、出口ノード（ノード１３）を指定してＧＭＰＬＳによるパス設定を指示する。これをトリガとして、各ノード（ノード１２Ａ〜１２Ｇ）間で共有している情報を用いて出口ノード（ノード１３）までの信号の経路を計算し、ＧＭＰＬＳのＲＳＶＰプロトコルのメッセージをやりとりしてパス設定を行う。図１では、入口ノード１１と出口ノード１３の間が中継ノード１２Ａ、１２Ｂ、１２Ｃ、１３Ｄを介して結ばれている。
【０００５】
図２は、ＧＭＰＬＳにおけるパス設定を示すシーケンス図である。入口ノード１１、出口ノード１３は図１の入口ノード１１、出口ノード１３に対応している。また、中継ノード１２は、説明を容易にするため、図１の中継ノード１２Ａ〜１２Ｄをまとめて示している。
【０００６】
パス設定が開始されると（（１）パス設定開始）、入口ノード１１は中継ノード１２にパスメッセージを送信する（（２）ＰａｔｈＭＳＧ）。中継ノード１２は途中の信号経路を自動計算して、出口ノード１３にそのパスメッセージを転送する（（３）ＰａｔｈＭＳＧ）。これを受信すると、出口ノード１３は自ノードのクロスコネクトを設定する（（４）ＸＣＯＮ設定）。そして、出口ノード１３は中継ノード１２に応答メッセージを送信する（（５）ＲｅｓｖＭＳＧ）。これを受信すると、各中継ノード１２は自ノードのクロスコネクトを設定する（（６）ＸＣＯＮ設定）。そして、中継ノード１２は入口ノード１１に応答メッセージを転送する（（７）ＲｅｓｖＭＳＧ）。これを受信すると、入口ノード１１は自ノードのクロスコネクトを設定する（（８）ＸＣＯＮ設定）。これでパス設定が完了する（（９）パス設定完了）。
【０００７】
このように、ＧＭＰＬＳによるパス設定は、各ノードが自律的に動作し、計算を行って信号の経路を決定し、パスを設定することで、ユーザが途中にある中継ノードの所在や各種インタフェース盤の実装状態、光ファイバの接続状態などを意識する必要が無いことが利点である。
【０００８】
なお、ＧＭＰＬＳの時分割多重ネットワークへの適用した例が特許文献１、２に記載されている。
【特許文献１】特開２００７−２５９３１５号公報
【特許文献２】特開２００６−２１１２６３号公報
【発明の開示】
【発明が解決しようとする課題】
【０００９】
しかし、ＧＭＰＬＳのプロトコルは、パスが正常に構築され信号が疎通することまでは保証していない。このため、プロトコルの上ではパスが接続されているが、何らかの障害が起こって実際には信号が疎通していないという事が有り得る。このため、ＧＭＰＬＳでパス設定を行った後にパスの疎通試験を実施する必要がある。
【００１０】
このＧＭＰＬＳでの信号疎通に失敗した場合、問題発生箇所を特定し、該当ノードから情報収集を行い、試験器を接続して信号の状態を確認するなどの情報収集を行い、問題の原因を取り除き、パスを削除し、再度パスを設定するという煩雑な作業が必要となる。
【００１１】
この障害箇所の特定と対処には中継ノードの位置や実装状態など、ＧＭＰＬＳでパス設定を行う際には意識することの無かった情報が必要となる。これは中継ノードを意識せずにパス設定が可能というＧＭＰＬＳの利点を打ち消してしまう。
【課題を解決するための手段】
【００１２】
上記課題の少なくとも一部を解決するため、一実施形態による、パスが設定されるネットワークにおける伝送装置は、前記パスの入口ノードとして設定されたとき、前記パスの設定情報を書き込んだ前記ネットワークのフレームを出口ノードに送信し、前記パスの出口ノードとして設定されたとき、前記フレームから読み出した前記設定情報に基づき、前記パスが正しく設定されていることを示す応答情報を書き込んだ前記フレームをループバックする処理部を有する。
【００１３】
また、他の実施形態による、パス試験方法は、パスが設定されるネットワークにおいて、入口ノードが、前記パスの設定情報を書き込んだ前記ネットワークのフレームを出口ノードに送信する段階と、前記出口ノードが、前記フレームの受信に応じて、前記パスが正しく設定されていることを示す応答情報を前記フレームに書き込み、ループバックする段階とを有する。
【発明の効果】
【００１４】
パスの入口ノードとして設定されたとき、その設定情報を書き込んだネットワークのフレームを出口ノードに送信し、パスの出口ノードとして設定されたとき、フレームから読み出した設定情報に基づき、パスが正しく設定されていることを示す応答情報を書き込んだフレームをループバックすることにより、パス試験を容易に行うことができる。
【発明を実施するための最良の形態】
【００１５】
図面を参照して本発明の実施形態を詳しく説明する。一実施形態では、ＳＯＮＥＴのトレース機能を用いて、ＳＯＮＥＴネットワーク上にＧＭＰＬＳで設定したパスの疎通を、ＧＭＰＬＳの設定情報をパスオーバーヘッドに設定したＳＯＮＥＴフレームのループバックにより試験する。以下、ＳＯＮＥＴネットワーク上にＧＭＰＬＳのパス設定がされることを前提として説明するが、別の実施形態では、ＳＤＨネットワークやＷＤＭネットワーク上にＧＭＰＬＳのパス設定がされうることは当業者には明らかである。
【００１６】
以下、一実施形態によるパス試験が正常終了する場合について、入口ノード、中継ノード及び出口ノードの動作を、図３を参照して説明する。これは、図１１に示したフローチャートにおいてステップＳ１１１、Ｓ１１２（ＹＥＳ）、Ｓ１１３、Ｓ１１５（ＹＥＳ）で示される正常終了ルートである。図３は、一実施形態によるＧＭＰＬＳのパス設定自動試験（正常終了時）を示すシーケンス図である。
【００１７】
ユーザは入口ノード１１から出口ノード１３までパス設定を行いたい場合、制御端末（図３には図示せず、図６の１１Ａ参照）から入口ノード１１に対して、制御プレーンを介してＧＭＰＬＳメッセージ（ＧＭＰＬＳ  ＭＳＧ）を送信して、パス設定を指示する（ステップ１）。パス設定要求を受けた入口ノード１１は中継ノード１２に、制御プレーンを介して、ＧＭＰＬＳのパスメッセージ（ＰａｔｈＭＳＧ）を送信する（ステップ２）。説明を簡明にするため、図３には中継ノードとして１つの中継ノード１２を集合的に示したが、言うまでもなく中継ノードは複数のノードを含んでいてもよく、各ノードは、経路計算の結果に基づき、パス設定するべき中継ノードに対してＧＭＰＬＳ のプロトコルの１つであるＲＳＶＰのパスメッセージを送信する。中継ノード１１は出口ノード１３へパスメッセージを送信する（ステップ３）。
【００１８】
ここで、ＲＳＶＰによるシグナリング方式について説明しておく。図３に示したように、入口ノード１１は制御端末（図６の１１Ａ）からパス接続要求を受けると、入口ノード１１から出口ノード１２方向へ、パスの空き状態のチェックを行う為にパスメッセージを送る。パスメッセージを受けた中継ノード（例えば、図１の中継ノード１２Ａ）は、要求帯域分の空き状態をチェックし、空きがあれば次のノードへパスメッセージを送り、空きが無ければ、入口ノード１１方向にパスエラーメッセージ（Ｐａｔｈ  Ｅｒｒｏｒ）を送る。出口ノード１３まですべてのノードに要求帯域分の空きがあれば、出口ノード１３は実際にその要求帯域分の空きを確保してパスを設定する。出口ノード１３は、入口ノード１１方向のノード（例えば、図１の中継ノード１４Ｄ）にリザーブメッセージ（Ｒｅｓｖ  ＭＳＧ）送る。このリザーブメッセージを受けた中間ノード（例えば、図１の中継ノード１４Ｃ）は、そのリザーブメッセージに応じてパス接続を行い、さらに次の中間ノードにリザーブメッセージを送る。以下同様であり、最後に、リザーブメッセージを受信した入口ノード１１はそれをトリガにパス接続を行う。このようにしてパス設定が行われるのである。
【００１９】
さて、中継ノード１２からパスメッセージを受信した出口ノード１３は、自装置のクロスコネクトを設定し（ステップ４）、クロスコネクトによってパス設定に必要な帯域を確保したことを示すＲＳＶＰのＲｅｓｖＭＳＧを中継ノード１２に送信する（ステップ５）。中継ノード１２は、出口ノード１３からＲｅｓｖＭＳＧを受信すると、自装置のクロスコネクトを設定し（ステップ６）、クロスコネクトによってパス設定に必要な帯域を確保したことを示すＲＳＶＰのＲｅｓｖＭＳＧを入口ノード１１に送信する（ステップ７）。入口ノード１１は、中継ノード１２からＲＳＶＰのＲｅｓｖＭＳＧを受信すると、自装置のクロスコネクトを設定し（ステップ８）、制御装置（図３には図示せず、図６参照）にパス設定が完了したことを通知する。この時点でパス設定が完了する。
【００２０】
ＧＭＰＬＳでパス設定を行った後、続けて自動的にパス試験を実施する。本実施形態では、パス試験において、ＳＯＮＥＴ伝送装置の標準のひとつであるＧＲ２５３で定義されるパスオーバーヘッドのＪ１バイトを使用する。図４は、ＳＯＮＥＴのパスオーバーヘッドを示す図である。ＳＯＮＥＴのフレーム４０は、パスオーバーヘッド４１と、データであるペイロード４２とを有している。パスオーバヘッド（ＰＯＨ）とは、ＳＴＳ−１やＳＴＳ−３Ｃなどのパスの生成点で生成され、情報の送信先の終端点まで保存される情報である。これを使用することにより該当パスで伝送される情報の符号誤りなどをエンド・トゥ・エンドで監視することが可能となる。ＳＯＮＥＴのパスオーバーヘッドの詳細は表１の通りである。
【００２１】
【表１】
2009290706.tif 000003
この自動パス試験ではＧＭＰＬＳのパス設定で使用した入口ノード１１のノードＩＤとリンクＩＤ、及び出口ノード１３のノードＩＤとリンクＩＤをＪ１バイトに盛り込む。このＪ１バイトを含む信号を入口ノードから送信し、これを出口ノードが受信し、自分宛てのＪ１バイトであることを確認すると、出口ノード１３はＪ１バイトに正常応答の情報を付加して入口ノードに送り返す（ループバックする）。送り返された信号を入口ノード１１が受信し、Ｊ１バイトに正常応答の情報が含まれていればパス試験が正常終了したことになる。つまり、パスが正しく設定されていることを示す。これによりＧＭＰＬＳ上のパス設定とＳＯＮＥＴ上のパス設定が一致していることが確認でき、信号疎通が保証できる。
【００２２】
図５は、Ｊ１バイトのフォーマットを示す図である。Ｊ１バイト５０には次の領域が含まれている：区切り文字５１（Ｊ１バイトの区切り文字を示す）、入口ノードのノードＩＤ５２（入口ノードを示すＧＭＰＬＳのノードＩＤを示す）、入口ノードのリンクＩＤ５３（入口ノードのユニットのポートを示すＧＭＰＬＳのリンクＩＤを示す）、出口ノードのノードＩＤ５４（出口ノードを示すＧＭＰＬＳのノードＩＤを示す）、出口ノードのリンクＩＤ５５（出口ノードのユニットのポートを示すＧＭＰＬＳのリンクＩＤを示す）、応答５６（パス試験の応答を示す）、拡張領域５７（予備領域を示す）。
【００２３】
図３に戻り、入口ノード１１は、各ノードのクロスコネクト処理が完了するのに充分な時間を待ち、パス試験を開始する（ステップ１０）。入口ノード１１は、パス試験信号のパスオーバーヘッドにあるＪ１バイトに、入口ノードのノードＩＤ、入口ノードのリンクＩＤ、出口ノードのノードＩＤ、出口ノードのリンクＩＤを設定して、データプレーンを介して中継ノード１２に送信する（ステップ１１）。中継ノード１２は、入口ノード１１からパス試験信号を受信すると、それを出口ノード１３に送信する（ステップ１２）。
【００２４】
出口ノード１３は、中継ノード１２からパス試験信号（フレーム）を受信すると、Ｊ１バイトに含まれる出口ノードのノードＩＤ（図５の５４）と出口ノードのリンク（図５の５５）が正しいことを判断し、Ｊ１バイトの応答（図５の５６）に、パスが正しく設定されていることを示す情報を設定して（ステップ１３）、中継ノード１２に送り返す（ループバックする）（ステップ１４）。
【００２５】
中継ノード１２は、出口ノード１３からＧＭＰＬＳ情報をＪ１バイトに含むパス試験信号を受信すると、その信号を入口ノード１１に送信する（ステップ１５）。入口ノード１１は、中継ノード１２からパス試験信号を受信すると、Ｊ１バイトに含まれるＧＭＰＬＳ情報を読み出し、応答（図５の５６）に、パスが正しく設定されていることを示す情報が設定されていることを確認する。これによりパス試験が完了する（ステップ１６）。
【００２６】
次に、図６乃至図１０を参照して、本実施形態の各ステップをさらに詳しく説明する。図６は、入口ノードを示す機能ブロック図（パス設定開始時／パス試験開始時）である。図7は、中継ノードを示す機能ブロック図（パス設定開始時／パス試験開始時）である。図8は、出口ノードを示す機能ブロック図（パス設定時／パス試験時）である。図9は、中継ノードを示す機能ブロック図（パス設定応答受信時／パス試験応答受信時）である。図１０は、入口ノードを示す機能ブロック図（パス設定応答受信時／パス試験応答受信時）である。
【００２７】
図６乃至図１０には、ＳＯＮＥＴの光伝送装置が示されている。これらの伝送装置は、それぞれの設定に基づき図３の入口ノード１１、中継ノード１２、出口ノード１３として機能するものであり、各装置は、入力インタフェース部１１１〜１３１、クロスコネクト部１１２〜１３２、出力インタフェース部１１３〜１３３、ＧＭＰＬＳ処理部１１４〜１３４、オーバーヘッド（ＯＨ）解析部１１５〜１３５、オーバーヘッド（ＯＨ）挿入部１１６〜１３６を有する。各部は通信可能に相互接続されているが、図面を簡明にするため、ＧＭＰＬＳ処理部と入力インタフェース部及び出力インタフェース部との接続と、クロスコネクト部と入力インタフェース部及び出力インタフェース部との接続のみを図示した。
【００２８】
（１）入口ノードへのパス設定要求
ユーザは入口ノードから出口ノードまでパス設定を行いたい場合、制御端末１１Ａから入口ノード１１に対して、制御プレーン（Ｃｏｎｔｒｏｌ  Ｐｌａｎｅ）を介して、ＧＭＰＬＳのパス設定要求をする。このパス設定要求は入口ノード１１のＧＭＰＬＳ処理部１１４が受け取る（ステップＳ１）。このパス設定要求には、パスの設定情報として、入口ノードのノードＩＤとリンクＩＤ、及び出口ノードのノードＩＤとリンクＩＤが含まれている。また、パス設定要求には、パス試験異常終了時の動作を決定するモード（図１１以降を参照して後で詳しく説明する）の設定と、パス試験の応答待ち時間ＴＩＭＥＲの設定が含まれている。モードは、例えばデフォルトでＭＯＤＥ１となっており、応答待ち時間は、例えば５秒に設定される。
【００２９】
（２）入口ノード１１の処理
図６を参照して、入口ノード１１のＧＭＰＬＳ処理部１１４は、制御端末からパス設定要求を受け取ると、これに応じて、経路計算を行い、その結果に基づき適切な中継ノード１２に、制御プレーンを介して、ＧＭＰＬＳ のプロトコルの１つであるＲＳＶＰのパスメッセージ（Ｐａｔｈ  ＭＳＧ）を送信する（ステップＳ３）。これは、図３のステップ２に対応する。
【００３０】
（３）中継ノード１２の処理
図７を参照して、中継ノード１２のＧＭＰＬＳ処理部１２４は、入口ノード１１から制御プレーンを介してパスメッセージを受信すると（ステップＳ５）、出口ノード１３へそのＧＭＰＬＳ のプロトコルの１つであるＲＳＶＰのパスメッセージを送信する（ステップＳ７）。ここで、当業者には明らかであるように、図１に示したように中継ノード１２が複数ある場合には、例えば、中継ノード１２Ａが経路計算を行い、その結果に基づいて適切な中継ノード１２Ｂにパスメッセージを送信し、以下同様にパスメッセージを送信し、最後の中継ノード１２Ｄが出口ノード１３へパスメッセージを送信することとなる。
【００３１】
（４）出口ノード１３の処理
図８を参照して、出口ノード１３のＧＭＰＬＳ処理部１３４は、中継ノード１２から制御プレーンを介してパスメッセージを受信すると（ステップＳ９）、クロスコネクト部１３２にクロスコネクトの設定を指示する（ステップＳ１１）。これにより、出口ノード１３の入力インタフェース部１３１と出力インタフェース部１３３との間にクロスコネクト（XCON）が設定される。ＧＭＰＬＳ処理部１３４は、次に、中継ノード１２に、制御プレーンを介して、クロスコネクトによりパス設定に必要な帯域を確保したことを示すＲＳＶＰのリザーブメッセージ（Ｒｅｓｖ  ＭＳＧ）を送信する（ステップＳ１３）。
【００３２】
（５）中継ノード１２の処理
図９を参照して、中継ノード１２のＧＭＰＬＳ処理部１１４は、出口ノード１３からリザーブメッセージを受信すると（ステップＳ１３）、クロスコネクト部１２２にクロスコネクトの設定を指示する（ステップＳ１５）。これにより、中継ノード１２の入力インタフェース部１２１と出力インタフェース部１２３との間にクロスコネクト（XCON）が設定される。ＧＭＰＬＳ処理部１２４は、次に、入口ノード１１に、制御プレーンを介して、クロスコネクトによりパス設定に必要な帯域を確保したことを示すＲＳＶＰのリザーブメッセージ（Ｒｅｓｖ  ＭＳＧ）を送信する（ステップＳ１７）。ここで、当業者には明らかであるように、図１に示したように中継ノード１２が複数ある場合には、例えば、中継ノード１２Ｄがクロスコネクトを設定し、中継ノード１２Ｃにリザーブメッセージを送信し、以下同様であり、最後の中継ノード１２Ａがクロスコネクトを設定し、入口ノード１１へリザーブメッセージを送信することとなる。
【００３３】
（６）入口ノード１１の処理
図１０を参照して、入口ノード１１のＧＭＰＬＳ処理部１１４は、中継ノード１２からリザーブメッセージを受信すると（ステップＳ１７）、クロスコネクト部１１２にクロスコネクトの設定を指示する（ステップＳ１９）。これにより、入口ノード１１の入力インタフェース部１１１と出力インタフェース部１１３との間にクロスコネクト（XCON）が設定される。ＧＭＰＬＳ処理部１１４は、次に、制御端末１１Ａに、制御プレーンを介して、パス設定が完了したことを通知する。
【００３４】
（７）入口ノード１１の処理
再び図６を参照して、入口ノード１１は各ノードのクロスコネクト設定処理が完了するのに充分な時間だけ待ち、パス試験を開始する。入口ノード１１のＧＭＰＬＳ処理部１１４は、オーバーヘッド（ＯＨ）挿入部１１６に、ＧＭＰＬＳで使用した入口ノードのノードＩＤ、入口ノードのリンクＩＤ、出口ノードのノードＩＤ、出口ノードのリンクＩＤを渡し（ステップＳ５１）、パス試験信号（フレーム）ＰＴのパスオーバーヘッドにあるＪ１バイトに設定する。ＧＭＰＬＳ処理部１１４は、このパス試験信号ＰＴを、出力インタフェース部１１３により、中継ノード１２に、データプレーン（Ｄａｔａ  Ｐｌａｎｅ）を介して送信する。
【００３５】
（８）中継ノード１２の処理
再び図７を参照して、中継ノード１２の入力インタフェース部１２１が入口ノード１１からのパス試験信号ＰＴを受信し、オーバーヘッド（ＯＨ）解析部１２５がパス試験信号ＰＴのパスオーバーヘッドに含まれる入口ノードのノードＩＤ（図５の５２）、入口ノードのリンクＩＤ（図５の５３）、出口ノードのノードＩＤ（図５の５４）、出口ノードのリンクＩＤ（図５の５５）を抽出し、ＧＭＰＬＳ処理部１２４に渡す（ステップＳ５３）。ＧＭＰＬＳ処理部１２４は、設定された出口ノードを確認する。この場合、自装置は出口ノードではないことが分かるので、ＧＭＰＬＳ処理部１２４は、クロスコネクト部１２２と出力インタフェース部１２３を通して、データプレーンを介してパス試験信号ＰＴを出口ノード１３に送信する。
【００３６】
（９）出口ノード１３の処理
再び図８を参照して、出口ノード１３の入力インタフェース部１３１が中継ノード１２からのパス試験信号ＰＴを受信し、オーバーヘッド（ＯＨ）解析部１３５がパス試験信号ＰＴのパスオーバーヘッドに含まれる入口ノードのノードＩＤ（図５の５２）、入口ノードのリンクＩＤ（図５の５３）、出口ノードのノードＩＤ（図５の５４）、出口ノードのリンクＩＤ（図５の５５）を抽出し、ＧＭＰＬＳ処理部１３４に渡す（ステップＳ５５）。ＧＭＰＬＳ処理部１３４は、設定された出口ノードを確認する。この場合、自装置が出口ノードであることが分かるので、ＧＭＰＬＳ処理部１３４は、パス試験信号ＰＴのパスオーバーヘッドのＪ１バイトに含まれる出口ノードのノードＩＤ（図５の５４）及び出口ノードのリンクＩＤ（図５の５５）がＧＭＰＬＳ処理部１３４で管理している自装置のノードＩＤ及びリンクＩＤと一致していることから、ＧＭＰＬＳで設定したパスの情報とクロスコネクトで設定されているパスの情報が一致しており、入口ノードから出口ノードまで信号が疎通したことが確認できる。
【００３７】
次に、出口ノード１３のＧＭＰＬＳ処理部１３４は、オーバーヘッド（ＯＨ）挿入部１３６に、パス試験の結果、パスが正しく設定され、入口ノード１１から出口ノード１３まで信号が疎通したことを示すため、パス試験信号ＰＴのパスオーバーヘッドのＪ１バイトの応答（図５の５６）にOK（応答情報）を設定する指示を出す。これによりパス試験信号ＰＴのＪ１バイトにOK（応答情報）が設定される。ＧＭＰＬＳ処理部１３４は、出力インタフェース部１３３を通して、データプレーンを介してパス試験信号ＰＴを中継ノード１２に送信（ループバック）する。
【００３８】
（１０）中継ノード１２の処理
再び図９を参照して、中継ノード１２の入力インタフェース部１２１が出口ノード１３からのパス試験信号ＰＴを受信し、オーバーヘッド（ＯＨ）解析部１２５がパス試験信号ＰＴのパスオーバーヘッドに含まれる入口ノードのノードＩＤ（図５の５２）、入口ノードのリンクＩＤ（図５の５３）、出口ノードのノードＩＤ（図５の５４）、出口ノードのリンクＩＤ（図５の５５）、及び応答（図５の５６）を抽出し、ＧＭＰＬＳ処理部１２４に渡す（ステップＳ５９）。ＧＭＰＬＳ処理部１２４は、設定された入口ノードを確認する。この場合、自装置は入口ノードではないことが分かるので、ＧＭＰＬＳ処理部１２４は、クロスコネクト部１２２と出力インタフェース部１２３を通して、データプレーンを介してパス試験信号ＰＴを入口ノード１１に送信する。
【００３９】
（１１）入口ノード１１の処理
再び図１０を参照して、入口ノード１１の入力インタフェース部１１１が中継ノード１２からのパス試験信号ＰＴを受信し、オーバーヘッド（ＯＨ）解析部１２５がパス試験信号ＰＴのパスオーバーヘッドに含まれる入口ノードのノードＩＤ（図５の５２）、入口ノードのリンクＩＤ（図５の５３）、出口ノードのノードＩＤ（図５の５４）、出口ノードのリンクＩＤ（図５の５５）、及び応答（図５の５６）を抽出し、ＧＭＰＬＳ処理部１１４に渡す（ステップＳ６１）。ＧＭＰＬＳ処理部１１４は、設定された入口ノードを確認する。この場合、パスオーバーヘッドのＪ１バイトに含まれる入口ノードのノードＩＤ（図５の５２）、入口ノードのリンクＩＤ（図５の５３）がＧＭＰＬＳ処理部１１４で管理している自装置のノードＩＤとリンクＩＤに一致することから、自装置は入口ノードであると判断する。また、応答（図５の５６）からパス試験が正常終了したことを確認する。ＧＭＰＬＳ処理部１１４は、制御端末１１Ａに、制御プレーンを介して、パス試験が完了したことを通知する。また、パス試験信号ＰＴは、エンドユーザに、クロスコネクト部１１２と出力インタフェース部１１３を通して、データプレーンで送信される。
【００４０】
図１１は、一実施形態によるＧＭＰＬＳのパス設定自動試験を示すフローチャートである。最初に、制御プレーンを介してネットワーク上にＧＭＰＬＳでパス設定を行い（ステップＳ１１１）、パス設定が成功したか確認する（ステップＳ１１２）。パス設定が成功しなかったとき（ステップＳ１１２、ＮＯ）、エラー処理を行う（ステップＳ１１４）。
【００４１】
パス設定が成功したとき（ステップＳ１１２、ＹＥＳ）、図３乃至１０を参照して上で説明したように、自動パス試験を実行する（ステップＳ１１３）。パス試験が成功したとき（ステップＳ１１５、ＹＥＳ）、本実施形態のパス設定自動試験は終了する。
【００４２】
パス試験が成功しなかったとき（ステップＳ１１５、ＮＯ）、試験モードを確認し（ステップＳ１１６）、その結果に応じて各モードに進む。図１１には、３つの試験モードモード１〜３が示されている。他の実施形態では、これとは異なるモードを実行してもよい。モード（ＭＯＤＥ）１のとき、ユーザに対してパス試験が失敗したことを通知するアラームを出力する（ステップＳ１１７）。モード２のとき、アラームを出力するとともに、設定したパスを制御プレーンを介して削除する（ステップＳ１１８）。モード３のとき、アラームを出力し、設定したパスを制御プレーンを介して削除するとともに、制御プレーンを介してパスを再設定する（ステップＳ１１９）。そして、本実施形態のパス設定自動試験を終了する。
【００４３】
次に、図１１のステップＳ１１５においてパス試験が成功しなかった場合について、入口ノード、中継ノード及び出口ノードの動作を、図１２乃至１４を参照して説明する。
【００４４】
図１２は、パス試験が成功しない異常終了時のモードがモード１（図１１参照）である場合を示す図である。ステップ１乃至１１は、図３のステップ１乃至１１と同じなのでここでは説明を省略する。ただし、ここでは、入口ノードへのパス設定要求時に設定された、パス試験異常終了時の動作を決定するモードは、モード（ＭＯＤＥ）１に設定されているものとする。
【００４５】
入力ノード１１と中継ノード１２の間、または中継ノード１２が複数ある場合にその中継ノード間（例えば、図１に示した中継ノード１２Ａと中継ノード１２Ｂの間）で、何らかの原因により障害が発生して、ＧＭＰＬＳで設定したはずのパスが正しく設定されていない（パス断）場合を考える。
【００４６】
この場合、図３を参照して説明したステップＳ１２乃至Ｓ１５は実行されない。これらのステップＳ１２乃至Ｓ１５は、図１２において点線で示し、これらのステップが実行されないことをしめした。入口ノード１１は、中継ノード１２から、パスオーバーヘッドのＪ１バイトの応答（図５の５６）領域に応答情報を設定したパス試験信号の送信（ループバック）を待っているが、パス試験信号は届かないまま所定時間（入口ノードへのパス設定要求時に設定したパス試験の応答待ち時間ＴＩＭＥＲ）経過すると、入口ノード１１は、タイムアウトとして異常処理を行う。この場合、パス試験が異常終了したことを示すアラームを制御端末（図６の制御端末１１Ａ）に出力して、ユーザに注意を促し、パス設定はそのまま保持し、ユーザの対処にゆだねる（ステップ１６）。
【００４７】
上記の実施形態では、入口ノード１１がタイムアウトを判定して異常処理を行った。他の実施形態では、出口ノード１３がタイムアウトを判定して異常処理を行ってもよい。例えば、出口ノード１３は、中継ノード１２からパスメッセージを受信し（ステップ３）、自装置にクロスコネクトを設定してから、所定時間以内に入力ノード１１からのパス試験信号を受信しなければ、タイムアウトとして異常処理を行う。この場合、パス試験が異常終了したことを示すアラームを出力して、ユーザに注意を促し、パス設定はそのまま保持し、ユーザの対処にゆだねる。
【００４８】
また、さらに別の実施形態では、中継ノード１２がタイムアウトを判定して異常処理を行ってもよい。例えば、中継ノード１２は、出口ノード１３からリザーブメッセージを受信し（ステップ５）、自装置にクロスコネクトを設定して（ステップ６）から、所定時間以内に入口ノード１１からのパス試験信号を受信しなければ、タイムアウトとして異常処理を行う。この場合、パス試験が異常終了したことを示すアラームを出力して、ユーザに注意を促し、パス設定はそのまま保持し、ユーザの対処にゆだねる。
【００４９】
図１３は、パス試験が成功しない異常終了時のモードがモード２（図１１参照）である場合を示す図である。ステップ１乃至１６は、図１２のステップ１乃至１６と同じなのでここでは説明を省略する。ただし、ここでは、入口ノードへのパス設定要求時に設定された、パス試験異常終了時の動作を決定するモードは、モード（ＭＯＤＥ）２に設定されているものとする。
【００５０】
入口ノード１１は、所定時間以内に入口ノード１１からのパス試験信号を受信しなければ、タイムアウトとして異常処理を行う（ステップ１６）。この場合、ＧＭＰＬＳレベルでのパス設定は正常だが、ＳＯＮＥＴレベルでは異常ということになる。パス試験が異常終了したことを示すアラームを出力して、ユーザに注意を促し、ＧＭＰＬＳで設定したパスを削除してパス設定前の状態に復旧させる。
【００５１】
このため、入口ノード１１は、中継ノード１２に、制御プレーンを介して、パスエラーメッセージ（ＰａｔｈＥｒｒ  ＭＳＧ）を送信する（ステップ１８）。このメッセージは、ＧＭＰＬＳで用いられているRSVPプロトコルでパス削除を行うメッセージである。入口ノード１１は、次に、自装置に設定したクロスコネクトを削除する（ステップ１９）。
【００５２】
中継ノード１２は、入口ノード１１からパスエラーメッセージを受信すると、出口ノード１３に、制御プレーンを介して、パスエラーメッセージ（ＰａｔｈＥｒｒ  ＭＳＧ）を送信する（ステップ２０）。このメッセージは、ＧＭＰＬＳで用いられているRSVPプロトコルでパス削除を行うメッセージである。中継ノード１２は、自装置に設定したクロスコネクトを削除する（ステップ２１）。
【００５３】
出口ノード１３は、中継ノード１２からパスエラーメッセージを受信すると、自装置が出口ノードであるので、これ以上パスエラーメッセージは転送せず、自装置に設定したクロスコネクトを削除する（ステップ２２）。
【００５４】
これでＧＭＰＬＳで設定したパスはすべて削除され、元の状態に復旧したこととなる。
【００５５】
図１４は、パス試験が成功しない異常終了時のモードがモード３（図１１参照）である場合を示す図である。ステップ１乃至２２は、図１３のステップ１乃至２２と同じなのでここでは説明を省略する。ただし、ここでは、入口ノードへのパス設定要求時に設定された、パス試験異常終了時の動作を決定するモードは、モード（ＭＯＤＥ）３に設定されているものとする。
【００５６】
入口ノード１１は、再びパスを設定するため、ステップ１のパス設定開始からリトライする（ステップ２３）。これにより、ＧＭＰＬＳでのパス設定が一旦失敗しても、再度自動的にＧＭＰＬＳでのパス設定が行われることとなる。
【００５７】
以上のように、一実施形態によれば、パス設定の後、パス試験が自動的に実施されるため、簡単に信号疎通確認（パス試験）を行うことができる。ＧＭＰＬＳで使用したパラメータをそのまま使用するため、ＧＭＰＬＳでのパス設定とＳＯＮＥＴやＳＤＨでのパス設定が一致していることが確認でき、信号疎通が保証できる。また、オペレーションミス等により試験対象を間違えるといった問題も未然に防ぐことができる。パス試験が異常終了した際の動作は事前に設定しておいたモードに従う。このモードによって、アラームの出力、パスの削除、再設定などが自動で実行でき、顧客のネットワーク運用の負荷を軽減することができる。
【００５８】
ＳＯＮＥＴの使用を前提として実施形態を説明した。ＳＤＨは、ＳＯＮＥＴをベースにして、ＩＴＵ−Ｔが世界統一インタフェースとして標準化したものであり、ベースは同じ技術であり、１５６Ｍｂｐｓ以上では基本的なフレーム構成も同一である。従って、ＳＤＨネットワークであっても上記実施形態を実現できることは当業者には明らかである。
【００５９】
当業者には図３、図１２、図１３、図１４に示した方法を、入口ノード１１、中継ノード１２、出口ノード１３に含まれるマイクロプロセッサやマイクロコントローラ上で実行されるコンピュータプログラムとして実現できることは明らかである。また、このコンピュータプログラムを、入口ノード１１、中継ノード１２、出口ノード１３に含まれる読み出し専用メモリや、ハードディスク等の記憶媒体に格納して実施できることも明らかである。
【００６０】
以上、本発明の実施の形態について詳述したが、本発明は特定の実施形態に限定されるものではなく、特許請求の範囲に記載された本発明の要旨の範囲内において、種々の変形及び変更が可能である。
【００６１】
なお、幾つかの態様を整理すると以下の通りである。
（付記１）
パスが設定されるネットワークにおける伝送装置であって、
前記パスの入口ノードとして設定されたとき、前記パスの設定情報を書き込んだ前記ネットワークのフレームを出口ノードに送信し、
前記パスの出口ノードとして設定されたとき、前記フレームから読み出した前記設定情報に基づき、前記パスが正しく設定されていることを示す応答情報を書き込んだ前記フレームをループバックする処理部を有する伝送装置。
（付記２）
前記パスの設定はＧＭＰＬＳにより行われ、
前記ネットワークはＳＯＮＥＴ、ＳＤＨ、またはＷＤＭであり、
前記処理部は、前記設定情報と前記応答情報とを前記フレームのパスオーバーヘッドに書き込む、付記１に記載の伝送装置。
（付記３）
前記処理部は、前記パスの入口ノードとして設定されたとき、前記フレームを出口ノードに送信してから所定時間以内に前記出口ノードからのループバックがないとき、前記パスが正しく設定されていないと判断する、付記１または２に記載の伝送装置。
（付記４）
前記処理部は、前記パスが正しく設定されていないと判断した後、前記パスを削除する、付記３に記載の伝送装置。
（付記５）
前記設定情報と前記応答情報とを前記フレームに書き込む挿入部をさらに有する、付記１乃至４いずれか一項記載の伝送装置。
（付記６）
前記設定情報を前記フレームから読み出す解析部をさらに有する、付記１乃至５いずれか一項記載の伝送装置。
（付記７）
パスが設定されるネットワークにおいて、
入口ノードが、前記パスの設定情報を書き込んだ前記ネットワークのフレームを出口ノードに送信する段階と、
前記出口ノードが、前記フレームの受信に応じて、前記パスが正しく設定されていることを示す応答情報を前記フレームに書き込み、ループバックする段階とを有するパス試験方法。
（付記８）
前記パスの設定はＧＭＰＬＳにより行われ、
前記ネットワークはＳＯＮＥＴ、ＳＤＨ、またはＷＤＭであり、
前記設定情報と前記応答情報とは前記フレームのパスオーバーヘッドに書き込まれる、付記７に記載のパス試験方法。
（付記９）
前記入口ノードが、前記フレームを前記出口ノードに向けて送信してから所定時間以内に前記出口ノードからのループバックがないとき、前記パスが正しく設定されていないと判断する段階をさらに有する、付記７または８に記載のパス試験方法。
（付記１０）
前記入口ノードが、前記パスが有効でないと判断した後、前記パスを削除する段階をさらに有する、付記９に記載のパス試験方法。
（付記１１）
パスが設定されるネットワークにおける伝送装置において、コンピュータを、
前記パスの入口ノードとして設定されたとき、前記パスの設定情報を書き込んだ前記ネットワークのフレームを出口ノードに送信し、
前記パスの出口ノードとして設定されたとき、前記フレームから読み出した前記設定情報に基づき、前記パスが正しく設定されていることを示す応答情報を書き込んだ前記フレームをループバックする処理部として機能させるコンピュータプログラム。
【図面の簡単な説明】
【００６２】
【図１】ＧＭＰＬＳネットワークを示す図である。
【図２】ＧＭＰＬＳにおけるパス設定を示すシーケンス図である。
【図３】一実施形態によるＧＭＰＬＳのパス設定自動試験（正常終了時）を示すシーケンス図である。
【図４】ＳＯＮＥＴのパスオーバーヘッドを示す図である。
【図５】Ｊ１バイトのフォーマットを示す図である。
【図６】入口ノードを示す機能ブロック図である。（パス設定開始時／パス試験開始時）
【図７】中継ノードを示す機能ブロック図である（パス設定開始時／パス試験開始時）。
【図８】出口ノードを示す機能ブロック図である（パス設定時／パス試験時）。
【図９】中継ノードを示す機能ブロック図である（パス設定応答受信時／パス試験応答受信時）。
【図１０】入口ノードを示す機能ブロック図である（パス設定応答受信時／パス試験応答受信時）。
【図１１】一実施形態によるＧＭＰＬＳのパス設定自動試験を示すフローチャートである。
【図１２】一実施形態によるＧＭＰＬＳのパス設定自動試験を示すシーケンス図である（異常終了時ＭＯＤＥ１)。
【図１３】一実施形態によるＧＭＰＬＳのパス設定自動試験を示すシーケンス図である（異常終了時ＭＯＤＥ２)。
【図１４】一実施形態によるＧＭＰＬＳのパス設定自動試験を示すシーケンス図である（異常終了時ＭＯＤＥ３)。
【符号の説明】
【００６３】
１０  ＧＭＰＬＳネットワーク
１１  入口ノード
１１Ａ  制御端末
１２  中継ノード
１３  出口ノード
４０  ＳＯＮＥＴフレーム
５０  Ｊ１バイト
１１１、１２１、１３１  入力インタフェース部
１１２、１２２、１３２  クロスコネクト部
１１３、１２３、１３３  出力インタフェース部
１１４、１２４、１３４  ＧＭＰＬＳ処理部
１１５、１２５、１３５  オーバーヘッド解析部
１１６、１２６、１３６  オーバーヘッド挿入部
【図１】
2009290706.tif 000004
【図２】
2009290706.tif 000005
【図３】
2009290706.tif 000006
【図４】
2009290706.tif 000007
【図５】
2009290706.tif 000008
【図６】
2009290706.tif 000009
【図７】
2009290706.tif 000010
【図８】
2009290706.tif 000011
【図９】
2009290706.tif 000012
【図１０】
2009290706.tif 000013
【図１１】
2009290706.tif 000014
【図１２】
2009290706.tif 000015
【図１３】
2009290706.tif 000016
【図１４】
2009290706.tif 000017